(57)【要約】【課題】画面遷移の手間を省き、簡単な操作で複数の画面状態を確認することができる監視制御端末を提供することにある。【解決手段】監視制御端末ＣＶの制御部１は、表示パネル３で表示されているウィンドウ内の操作釦が操作されたとき、その操作された項目に関する情報を表示するための新しいウィンドウを生成するとともに、新しいウィンドウが生成されたとき、元のウィンドウを識別するためのタブを生成し、ウィンドウ及びタブのデータを表示パネル３に送って表示させる。また記憶部５に各タブで識別されるウィンドウの情報を記憶させるＷｅｂブラウザ部１０の機能を備えている。【選択図】図１
2008140188.tif 000002
【特許請求の範囲】
【請求項１】
表示パネルと、設備機器に関する情報を収集する情報収集手段と、収集した情報をＷｅｂページのウィンドウとして前記表示パネルに画面表示する表示制御手段と、ウィンドウ内の操作可能な項目の操作を行う操作手段とを備えて構成される監視制御端末において、
操作手段によりウィンドウ内の項目が操作されたとき、その操作された項目に関する情報を表示するための新しいウィンドウを生成して前記表示制御手段に引き渡すウィンドウ生成手段と、
新しいウィンドウが生成されたとき、元のウィンドウを識別するためのタブを生成してウィンドウ内の一部の領域に表示するタブ表示制御手段と、
各タブで識別されるウィンドウの夫々を記憶する記憶部とを備えてなり、
ウィンドウ内に表示された複数のタブの内、前記操作手段により選択されたタブで識別されるウィンドウを前記表示パネルに画面表示することを特徴とする監視制御端末。
【請求項２】
ユーザからの操作を受け付ける新規ウィンドウ発生釦を備え、
前記ウィンドウ生成手段は該新規ウィンドウ発生釦が操作されると、新しいウィンドウを生成して前記表示制御手段に引き渡し、
前記タブ表示制御手段は、前記新しいウィンドウに対応したタブを生成して該タブを前記新しいウィンドウの一部領域内に表示することを特徴とする請求項１記載の監視制御端末。
【請求項３】
ユーザからの操作を受け付けるセット画面記憶釦を備え、該セット画面記憶釦が第１の操作状態で操作されると、前記表示パネルに現在表示されているウィンドウと、タブと、各タブに対応付けられ前記記憶部に記憶しているウィンドウとをセット画面として該記憶部に記憶し、前記セット画面記憶釦が第２の操作状態で操作されると、前記記憶部に記憶したセット画面を呼び出して前記表示パネルに表示することを特徴とする請求項１又は２記載の監視制御端末。
【請求項４】
外部からのイベント通知を受信するイベント通知受信手段を備え、前記ウィンドウ生成手段は、前記イベント通知受信手段がイベント通知を受信すると、当該イベント通知に関する情報を表示するための新しいウィンドウを生成して前記表示制御手段に引き渡すことを特徴とする請求項１乃至３の何れかの１項に記載の監視制御端末。
【請求項５】
前記記憶部に記憶させるウィンドウの数に上限数を設定し、前記イベント通知受信手段がイベント通知を受信したとき、前記記憶部は、現在記憶しているウィンドウの情報数が上限数に達している場合には、記憶されているウィンドウの内最も古く操作されたウィンドウの情報を削除するとともに、前記イベント通知に関する情報を示すウィンドウを新たに記憶することを特徴とする請求項４記載の監視制御端末。
【請求項６】
前記記憶部に記憶させるウィンドウの数に上限数を設定するとともに、記憶しているウィンドウには優先度を設定し、前記イベント通知受信手段がイベント通知を受信したとき、前記記憶部は、現在記憶しているウィンドウの情報数が上限数に達している場合には、記憶されているウィンドウの内最も優先度の低いウィンドウの情報を削除するとともに、前記イベント通知に関する情報を示すウィンドウを新たに記憶することを特徴とする請求項４記載の監視制御端末。
【請求項７】
前記記憶部にウィンドウを記憶させる記憶領域として、イベント通知に関する情報を表示するウィンドウ用の記憶領域を、イベント通知以外のウインドウの記憶領域とは別に予め確保していることを特徴とする請求項４記載の監視制御端末。
【発明の詳細な説明】
【技術分野】
【０００１】
本発明は、住宅内に設置される住宅設備の監視と制御を行う住宅設備監視制御システムに用いられる監視制御端末に関するものである。
【背景技術】
【０００２】
従来より、エアコン、照明器具、セキュリティ機器などの住宅設備の監視と制御を行うシステムが提供されている（例えば、特許文献１参照）。
【０００３】
このシステムでは、住宅設備の監視と、制御に関わる情報（例えば、エアコン、照明器具の動作状態、セキュリティ機器である火災感知器の動作状態、更に操作のための釦等）をインターホンのモニタ装置の表示デバイス（ＣＲＴ、ＬＣＤ等）で表示するようになっている。
【特許文献１】特開２００４−２９５４０８号公報（図８〜図１１）
【発明の開示】
【発明が解決しようとする課題】
【０００４】
ところで、上述のような、表示デバイスの画面では大きさにも制限があり、あまりたくさんの情報を一度に表示することができない。このため、多くの情報や機能の画面を表示するためには、複数の画面に分けて内容を表示する必要がでてくるが、複数の画面に分けて内容を表示する場合、ユーザが要望する画面を確認するためには複数回の画面切り替え操作が必要となり、ユーザの手間がかかるという課題があった。
【０００５】
更に、複数画面の情報を一度に確認したい場合にも、画面遷移の手間が発生する。例えば、カメラで玄関付近の状況を確認しながら、玄関の電気錠の解錠操作をしたい等、カメラの確認画面と電気錠の操作画面は全く別の画面となっている場合には、カメラと電気錠の画面を行き来しなければならず、手間がかかる。
【０００６】
このように、単一画面しか持たない操作機器で、なお且つ画面表示の情報量に制限があるため複数画面に情報や機能が分割されているような場合には、画面遷移の手間が発生する。
【０００７】
本発明は、上述の課題に鑑みて為されたもので、その目的とするところは、画面遷移の手間を省き、簡単な操作で複数の画面状態を確認することができる監視制御端末を提供することにある。
【課題を解決するための手段】
【０００８】
上述の目的を達成するために、請求項１の発明では、表示パネルと、設備機器に関する情報を収集する情報収集手段と、収集した情報をＷｅｂページのウィンドウとして前記表示パネルに画面表示する表示制御手段と、ウィンドウ内の操作可能な項目の操作を行う操作手段とを備えて構成される監視制御端末において、操作手段によりウィンドウ内の項目が操作されたとき、その操作された項目に関する情報を表示するための新しいウィンドウを生成して前記表示制御手段に引き渡すウィンドウ生成手段と、新しいウィンドウが生成されたとき、元のウィンドウを識別するためのタブを生成してウィンドウ内の一部の領域に表示するタブ表示制御手段と、各タブで識別されるウィンドウの夫々を記憶する記憶部とを備えてなり、ウィンドウ内に表示された複数のタブの内、前記操作手段により選択されたタブで識別されるウィンドウを前記表示パネルに画面表示することを特徴とする。
【０００９】
請求項１の発明によれば、複数のウィンドウを同時に保持することができ、画面サイズが小さくても表示する情報量を多くすることができるもので、しかも簡単な操作でウィンドウを切り替えて表示することができ、その結果、画面遷移の手間を省けるとともに複数の画面状態を確認することができる。
【００１０】
請求項２の発明では、請求項１の発明において、ユーザからの操作を受け付ける新規ウィンドウ発生釦を備え、前記ウィンドウ生成手段は該新規ウィンドウ発生釦が操作されると、新しいウィンドウを生成して前記表示制御手段に引き渡し、前記タブ表示制御手段は、前記新しいウィンドウに対応したタブを生成して該タブを前記新しいウィンドウの一部領域内に表示することを特徴とする。
【００１１】
請求項２の発明によれば、保持できるウィンドウの数を簡単な操作で増やすことができる。
【００１２】
請求項３の発明では、請求項１又は２の発明において、ユーザからの操作を受け付けるセット画面記憶釦を備え、該セット画面記憶釦が第１の操作状態で操作されると、前記表示パネルに現在表示されているウィンドウと、タブと、各タブに対応付けられ前記記憶部に記憶しているウィンドウとをセット画面として該記憶部に記憶し、前記セット画面記憶釦が第２の操作状態で操作されると、前記記憶部に記憶したセット画面を呼び出して前記表示パネルに表示することを特徴とする。
【００１３】
請求項３の発明によれば、複数保持しているウィンドウを記憶し、簡単な操作で再現表示することができる。
【００１４】
請求項４の発明では、請求項１乃至３の何れかの発明において、外部からのイベント通知を受信するイベント通知受信手段を備え、前記ウィンドウ生成手段は、前記イベント通知受信手段がイベント通知を受信すると、当該イベント通知に関する情報を表示するための新しいウィンドウを生成して前記表示制御手段に引き渡すことを特徴とする。
【００１５】
請求項４の発明によれば、割り込みで新しいウィンドウを表示したときに、割り込み直前まで表示していたウィンドウを保持しておくことができる。
【００１６】
請求項５の発明では、請求項４の発明において、前記記憶部に記憶させるウィンドウの数に上限数を設定し、前記イベント通知受信手段がイベント通知を受信したとき、前記記憶部は、現在記憶しているウィンドウの情報数が上限数に達している場合には、記憶されているウィンドウの内最も古く操作されたウィンドウの情報を削除するとともに、前記イベント通知に関する情報を示すウィンドウを新たに記憶することを特徴とする。
【００１７】
請求項５の発明によれば、イベント通知時に画面割り込みした場合に、あまり表示されていないものから削除することで、多く表示した使用頻度の高い画面を残すことができる。
【００１８】
請求項６の発明では、請求項４の発明において、前記記憶部に記憶させるウィンドウの数に上限数を設定するとともに、記憶しているウィンドウには優先度を設定し、前記イベント通知受信手段がイベント通知を受信したとき、前記記憶部は、現在記憶しているウィンドウの情報数が上限数に達している場合には、記憶されているウィンドウの内最も優先度の低いウィンドウの情報を削除するとともに、前記イベント通知に関する情報を示すウィンドウを新たに記憶することを特徴とする。
【００１９】
請求項６の発明によれば、イベント通知時にウィンドウの割り込みによりウィンドウ数の上限数を越えるような場合に、重要度の高い画面を残すことができる。
【００２０】
請求項７の発明では、請求項４の発明において、前記記憶部にウィンドウを記憶させる記憶領域として、イベント通知に関する情報を表示するウィンドウ用の記憶領域を、イベント通知以外のウインドウの記憶領域とは別に予め確保していることを特徴とする。
【００２１】
請求項７の発明によれば、イベント通知に対応するウィンドウを確保することができ、当該ウィンドウが割り込みによって消去されることを防ぐことができる。
【発明の効果】
【００２２】
本発明は、複数のウィンドウを同時に保持することができ、そのため画面サイズが小さくても表示する情報量を多くすることができるもので、しかも簡単な操作でウィンドウを切り替えて表示することができ、その結果、画面遷移の手間を省けるとともに複数の画面状態を確認することができる
【発明を実施するための最良の形態】
【００２３】
以下本発明を住宅設備監視システムに用いる実施形態により説明する。
【００２４】
（実施形態１）
まず本実施形態を用いる例えば住宅設備監視システムの概略を図２に基づいて説明する。
【００２５】
図２に示すように住宅Ｈ内に設置されたコントローラＣ１…が住宅設備の制御並びに監視を行うサブシステムとして備えられ、各コントローラＣ１…はエンハンスト・カテゴリ５若しくはカテゴリ６のＬＡＮケーブルを介して統合管理装置ＴＭに接続される。また同様にＬＡＮケーブルを介して統合管理装置ＴＭにパーソナルコンピュータ（以下パソコンという）ＰＣや監視制御端末ＣＶ等の端末装置が接続される。
【００２６】
統合管理装置ＴＭは、ハブ機能を備えてており、ＬＡＮケーブルによってスター接続した各コントローラＣ１…、端末装置とで汎用の通信プロトコル（ＴＣＰ／ＩＰ、ＵＤＰ、ＨＴＴＰなど）を利用した１００ＢＡＳＥ−ＴＸ等のイーサネット（登録商標）規格に準拠したローカルエリアネットワーク（ＬＡＮ）たる宅内ネットワークを構築している。
【００２７】
更に統合管理装置ＴＭは、インターネットＩＮＴに接続するための回線の種類（電話回線、ＣＡＴＶ回線、光ファイバ回線など）に応じてＡＤＳＬモデムやケーブルモデム或いはＯＮＵ（Optical Network Unit）などのインターネット接続装置ＭＤに対して通信ケーブル（通常、ＬＡＮケーブル）により接続され、インターネット接続装置ＭＤが介在することで宅内ネットワークが外部ネットワークたるインターネットに接続される。
【００２８】
また、宅内ネットワークには、サービス提供会社の管理センタ等に設置されたセンタ装置（センタサーバ）ＳＶがインターネットを通じて接続されており、インターネットに接続可能なノート型のパソコンや携帯電話機ＭＰ、ＰＤＡ（Personal Digital Assistance）等からなる携帯型の端末装置とセンタ装置ＳＶとの間でインターネットを介したデータ通信を行うことにより、例えば、携帯電話機ＭＰを使って外出先から住宅設備の制御や監視を行うことができるようになっている。
【００２９】
センタ装置ＳＶは、ネットワーク機能を有する汎用のコンピュータ装置で構成されており、携帯電話機ＭＰ等の端末装置からインターネットを通じて送信されるコントローラＣ１…宛のメッセージやコントローラＣ１…から宅内ネットワークに属さない端末装置宛に送信されるメッセージを中継する機能や各住戸からの情報統括を行う機能を有している。
【００３０】
さて本発明の実施形態である監視制御端末ＣＶは住宅内の壁面に埋込配設されるものであって、図１に示すようにマイコンを主構成要素とするマイコンからなる制御部１と、宅内ネットワークのＬＡＮケーブルが接続され、制御部１と宅内ネットワークのインターフェースを行うＬＡＮインターフェース部２と、液晶ディスプレイやドライブ回路からなる表示パネル３と、表示パネル３の画面上に配設されるタッチパネルや後述する押釦スイッチＳＷ１〜ＳＷ４（図１（ｂ）参照）からなり、ユーザの操作入力の情報を取り込む操作部４と、マイコンで実行するプログラムや種々のデータを記憶するフラッシュメモリなどからなる不揮発性の記憶部５と、スピーカとスピーカの駆動回路を有するスピーカ部６と、商用電源から所望の直流電源を作成して制御部１やその他の各部に動作電源を供給するための電源回路（図示せず）とを備えている。
【００３１】
制御部１にはＷｅｂブラウザ部１０が実装され、各コントローラＣ１…等から提供されるＷｅｂコンテンツ並びに予め記憶部５に記憶しているＷｅｂコンテンツ（以下、内蔵Ｗｅｂコンテンツと呼ぶ。）をＷｅｂブラウザで再生して表示パネル３に表示するとともに、操作部４のタッチパネルが操作された位置と表示パネル３に表示されているアイコン等との位置関係に応じた操作入力情報を取り込むようになっている。尚Ｗｅｂブラウザ部１０には後述するウィンドウ生成機能１０ａ、タブ表示制御機能１０ｂ、ウィンドウ表示制御機能１０ｃを有する。
【００３２】
また、記憶部５には予め警報音や音声メッセージのデータが圧縮して格納されており、制御部１が必要に応じて記憶部５から読み出したデータを伸長してスピーカ部６に出力すれば、前記警報音や音声メッセージがスピーカから鳴動される。
【００３３】
更にまた、監視制御端末ＣＶは、図１（ｂ）に示すように矩形箱形の合成樹脂成形品からなるハウジング７の内部に上述した各部１〜６が収納されて構成されており、表示パネル３の画面がハウジング７前面の中央に配置されている。尚、表示パネル３の画面には操作部４が有するタッチパネル（透明であるから番号は付さない）が一体に設けられている。表示パネル３の左右両側上部には、スピーカ部６から鳴動する音をハウジング７の外に放射するための多数の音出し孔６ａが設けている。また、表示パネル３の左右両側下部には、操作部４が具備する複数の押釦スイッチ（図示せず）を押操作するための押釦スイッチＳＷ１〜ＳＷ４が上下に２つずつ配設されている。
【００３４】
尚ハウジング７には蓋（図示せず）で開閉自在に閉塞される凹所（図示せず）が設けられており、凹所の底面に電源入／切や制御部１をリセットするための押釦スイッチ（図示せず）が配設されている。尚、図示は省略するが、ハウジング７の背面にはＬＡＮインターフェース部２が有するモジュラジャックの差込口と、商用電源からの電源線が接続される端子部の電線挿入孔とが露出している。
【００３５】
一方システムでのネットワーク通信を統合管理する統合管理装置ＴＭは、ＬＡＮケーブルを介して、コントローラＣ１…、パソコンＰＣ、監視制御端末ＣＶが接続されるとともに、インターネット接続装置ＭＤからインターネットを通じてセンタ装置ＳＶや携帯電話機ＭＰ、又は他のネット端末に接続しており、パケット処理機能、経路切り替え機能、ネットワークセキュリティ機能、ＵＰｎＰ（ユニバーサル・プラグ・アンド・プレイ）のコントロールポイントの機能等を有して、ネットワークにおけるデータ授受をコントロールしている。
【００３６】
図示するコントローラＣ１は、日本電機工業会（JEMA）の統一規格に適合した設備機器Ｘ１…（エアコンや給湯器など）と接続するＨＡ（ホームオートメーション）用の機器インターフェース部（機器Ｉ／Ｆ部）と、宅内ネットワークと接続するＬＡＮインターフェース部（図示せず）とを備え、端末装置である監視制御端末ＣＶやパソコンＰＣから制御要求のメッセージを受け取ったときに各設備機器Ｘ１…を個別に制御して運転（照明器具の場合は点灯）と停止（照明器具の場合は消灯）を切り替え、またＬＡＮインターフェース部を通じて端末装置から監視要求のメッセージを受け取ったときに上述の機器Ｉ／Ｆ部を介して各設備機器Ｘ１…の動作状態（運転＜点灯＞又は停止＜消灯＞）を個別に取得するとともに、制御要求や監視要求に対する応答（各設備機器Ｘ１，Ｘ２の動作状態）のメッセージをＬＡＮインターフェース部より要求メッセージの送信元である端末装置に向けて送信させる機能（制御監視機能）を有する。また、自己の配下にある設備機器Ｘ１…の名称並びに動作状態を文字や記号で表示するための多数のＷｅｂコンテンツ（Ｗｅｂページ）を保持しており、端末装置からＷｅｂコンテンツのＵＲＬに対するアクセスに応じてＷｅｂコンテンツ群の中から対応するＷｅｂコンテンツのデータをＬＡＮインターフェース部より端末装置に提供（配信）するＷｅｂサーバ機能を有している。
【００３７】
コントローラＣ２は、宅内ネットワークに接続されるＬＡＮインターフェース部（図示せず）と、セキュリティ受信器ＳＲとの間で無線（若しくは有線）によるデータ通信を行う通信部（図示せず）とを備え、セキュリティ受信器ＳＲが火災感知器、防犯センサ等のセキュリティ機器Ｙ１…か無線信号を用いた通信によって収集する検知情報が異常を示す場合に、監視制御端末ＣＶやパソコンＰＣに更に宅外のセンタ装置ＳＶを通じて住人の携帯電話機ＭＰにイベント通知を行う機能を有する。また、自己の配下にあるセキュリティ機器Ｙ１…の名称並びに動作状態を文字や記号で表示するための多数のＷｅｂコンテンツ（Ｗｅｂページ）を保持しており、端末装置からＷｅｂコンテンツのＵＲＬに対するアクセスに応じてＷｅｂコンテンツ群の中から対応するＷｅｂコンテンツのデータをＬＡＮインターフェース部より端末装置に提供（配信）するＷｅｂサーバ機能を有している。
【００３８】
コントローラＣ３は、宅内ネットワークに接続されるＬＡＮインターフェース部（図示せず）と、監視カメラ装置ＣＭ１…に対応したカメラ制御部等の画像コントローラ機能とを備え、監視カメラ装置ＣＭ１…の撮像画像データ及び付設するマイクロフォンの音声データを受け取るとともに受け取ったデータを所定の圧縮方式（例えば、動画像であればＭＰＥＧ４、静止画像であればＪＰＥＧ）で圧縮した後に宅内ネットワーク及び外部ネットワークを通じてセンタ装置ＳＶに転送する機能（転送機能）と、内蔵記憶部に画像データを記録している画像データやリアルタイムの画像データ等を開示する多数のＷｅｂコンテンツ（Ｗｅｂページ群）を保持し、端末装置（パソコンＰＣや監視制御端末ＣＶからＷｅｂコンテンツのＵＲＬに対するアクセスに応じてＷｅｂコンテンツ群の中から対応するＷｅｂコンテンツのデータをＬＡＮインターフェース部より端末装置に提供（配信）し、また端末装置からＷｅｂコンテンツ上で監視カメラ装置ＣＭ１…の切り替えや撮像方向の指示情報を受け取って、監視カメラ装置ＣＭ１…の制御部に渡すＷｅｂサーバ機能を有している。
【００３９】
ところで、上述した統合管理装置ＴＭにもＷｅｂサーバ機能が搭載されており、各コントローラＣ１…がＷｅｂサーバ機能によって提供するＷｅｂコンテンツ（各サブシステムのホームページ）への入り口となるＷｅｂコンテンツ（いわゆるポータルサイト）を作成し、宅内ネットワークを通じて住宅内の端末装置（パソコンＰＣや監視制御端末ＣＶ）に提供（配信）している。例えば監視制御端末ＣＶの表示パネル３には、通常、統合管理装置ＴＭで作成されたポータルサイトが表示されている。このポータルサイトでは、各コントローラＣ１…で提供されるＷｅｂコンテンツへのリンクがアイコンで表示されており、何れかのアイコン上でタッチパネルが操作されれば、当該アイコンで表示されたリンク先のＵＲＬ（各コントローラＣｎが保有するＷｅｂコンテンツ群のＩＰアドレス）に対して監視制御端末ＣＶからＷｅｂコンテンツの送信要求メッセージが送信される。そして、送信要求メッセージを受信したコントローラＣ１…が自己の保有するＷｅｂコンテンツ群の中から指定されたＷｅｂコンテンツを監視制御端末ＣＶ等の端末装置に対して送信すれば、ポータルサイトに代わって当該コントローラＣｎのＷｅｂコンテンツが夫々のＷｅｂブラウザ部の働きにより夫々で表示される。
【００４０】
さて、本実施形態の監視制御端末ＣＶのＷｅｂブラウザ部１０では、統合管理装置ＴＭを通じて受け取るＷｅｂコンテンツを表示パネル３で表示させるウィンドウの生成を行うウィンドウ生成機能１０ａと、タブの操作によって複数のＷｅｂコンテンツを切り替え表示させるためにウィンドウにタブを表示させるためのタブ表示制御機能１０ｂと、ウィンドウ表示全体の制御を担うウィンドウ表示制御機能１０ｃとを備え、複数のＷｅｂコンテンツのデータが送られてくると、これらデータ、つまり画面情報を保持させ、且つ記憶部５に保持している画面情報のテーブル（表１参照）を作成して記憶部５に保持させるようになっている。
【００４１】
【表１】
2008140188.tif 000003
【００４２】
この表１は現在記憶部５で記憶しているＷｅｂコンテンツに対応する画面情報において、現在、表示パネル３で表示しているウィンドウ上のＷｅｂコンテンツのアドレス（ＵＲＬ）と、当該画面情報が最後に操作表示された時刻とを現在表示中の欄に、また現在保持中のＷｅｂコンテンツのアドレス及び夫々が最後に操作表示された時刻を現在保持中の欄に夫々記述している。ここで記憶部５のテーブルで保持できる画面情報数には上限を設けてあって、上限数を越えるＷｅｂコンテンツのデータが送られてくると、Ｗｅｂブラウザ部１０のウィンドウ表示制御機能１０ｃの働きのもとで、現在保持している画面情報の内最も早く保持したものを記憶部５から削除して新たなＷｅｂコンテンツの画面情報を保持するようになっている。
【００４３】
次に本実施形態の監視制御端末１のＷｅｂブラウザ部１０を含む制御部１の動作を図３に示すフローチャートに基づいて説明する。
【００４４】
統合管理装置ＴＭを通じてＷｅｂコンテンツが送られてくると制御部１のＷｅｂブラウザ部１０は、このＷｅｂコンテンツに対応してウィンドウをウィンドウ生成機能１０ａで生成して表示パネル３に送って表示させるとともに、タブ表示制御機能１０ｂによって生成したタブを当該ウィンドウの領域内（上縁部）に表示させる。尚、通常時の待機中ではポータルサイトであるメニューに対応する画面が表示される。
【００４５】
図４は、設備機器Ｘ１…や、セキュリティ機器Ｙ１…の動作を生活シーンに対応して選択するためのウィンドウＷ１とその画面領域に画面選択用のタブＴ１を表示し、また保持中のＷｅｂコンテンツのタブＴ２を表示パネル３で表示している状態を示している。
【００４６】
この現在表示中の画面Ｗ１ではタッチパネルを利用して生活シーンである「在宅」、「おでかけ」、「おやすみ」と表記した選択用の操作釦Ｂ１〜Ｂ２と、表示するＷｅｂサイトのページ移動や、メニュー画面へのジャンプ用の操作釦Ｂ４〜Ｂ６が夫々「前ページ」、「次ページ」。「メニュー」を表記した形で表示している。
【００４７】
さてＷｅｂブラウザ部１０は、常時、現在表示中のウィンドウ上のタッチパネルの押操作の有無のチェック（Ｓ１）と、後述するイベント通知による割り込み発生の有無のチェック（Ｓ２）と、更に押釦スイッチＳＷ１〜ＳＷ４の内の後述する新規なウィンドウを発生させる操作手段である押釦スイッチ（以下開始釦という）ＳＷ１の操作の有無のチェック（Ｓ３）と、またユーザの「お好み」のＷｅｂサイトのアドレスを登録する操作手段である押釦スイッチ（以下お好み釦）ＳＷ２の操作の有無のチェック（Ｓ４）とを繰り返して行う待機状態にある。
【００４８】
そして今、図５（ａ）＜図３の画面に対応する＞に示すようなウィンドウＷ１において、Ｓ１でタッチパネルの操作が有ると、Ｗｅｂブラウザ部１０はそのタッチパネル操作がタブ操作か操作釦Ｂ１〜Ｂ４の操作かを判定する（Ｓ１１）。この判定において、例えばタブＴ２がタッチ操作されたすると、Ｗｅｂブラウザ部１０は、この操作情報を取り込むと、ウィンドウ切り替え処理（Ｓ１２）を行い、ウィンドウ表示制御機能１０ｃの下で、当該タブＴ２に対応する画面情報（Ｗｅｂコンテンツの情報とタブの情報とからなるセット画面情報）を記憶部５から読み出し、ウィンドウ生成機能１０ａの働きで当該画面情報に対応して生成されたウィンドウＷ２のデータを表示パネル３に送り（Ｓ６）、先に表示していたウィンドウＷ１から図５（ｂ）に示すウィンドウＷ２に切り替える。  このとき当該ウィンドウＷ２においてタブＴ２を左側に、先のウィンドウＷ１に対応するタブＴ１を右隣に表示する。尚タブＴ１，Ｔ２の位置を変更せず、前側のウィンドウに対応するタブの色を例えば灰色（これには限定されない）とし、後側のウィンドウに対応するタブＴの色を異なる色として表示することで識別性を持たせても良い。
【００４９】
そしてウインドウ表示制御機能１０ｃの制御の下で上述のテーブルの現在保持している画面情報を更新する。そしてＷｅｂブラウザ部１０はＳ１〜Ｓ５の動作を繰り返す待機状態に戻ることになる。尚画面Ｗ２は監視カメラ装置ＣＭ１…に対応したコントローラＣ３が生成するＷｅｂサイトに対応しており、この画面Ｗ２は、撮像画面の表示部位ＭＮやカメラ操作用の釦群ＣＴＢ、更に前の画面に戻す操作釦Ｂ７等が表示される。
【００５０】
そして画面Ｗ２においてタブＴ１がタッチ操作されると、Ｗｅｂブラウザ部１０は、上述のＳ７〜Ｓ９の処理を行って表示パネル３で表示するウィンドウをＷ２からＷ１に切り替える。
【００５１】
一方タッチパネル操作が画面上の操作釦のタッチ操作であるとすると、この操作に対応してＷｅｂブラウザ部１０は当該操作釦に対応するＷｅｂコンテンツのアドレスをアクセスして当該Ｗｅｂコンテンツのデータを、統合管理装置ＴＭを通じて受け取る。そしてこのＷｅｂコンテンツに対応するウィンドウをウィンドウ生成機能１０ａによって生成し、且つタブ表示制御機能１０ｂによって当該ウィンドウの領域に表示させる新規なタブを生成し（Ｓ１３）、このタブのデータを含めたウィンドウのデータを表示パネル３に送り（Ｓ５）、該表示パネル３で新たなタブとともに新たなウィンドウを表示させ、またウィンドウ表示制御機能１０ｃの働きにより記憶部５のテーブル中の現在表示の画像情報を更新する。
【００５２】
さて待機中において、開始釦ＳＷ１の操作があると判定される（Ｓ３）と、Ｗｅｂブラウザ部１０はウィンドウ生成機能１０ａの働きにより、記憶部５に保持されている画面情報中タブ生成されていない画像情報のウィンドウを生成し、且つタブ表示制御機能１０ｂの働きにより当該ウィンドウに表示する新規なタブを生成し（Ｓ３１）、これらウィンドウ及びタブのデータを表示パネル３に送り（Ｓ５）、該表示パネル３で新たなタブとともに新たなウィンドウを表示させ、またウィンドウ表示制御機能１０ｃの働きにより記憶部５のテーブル中の現在表示の画像情報を更新する。
【００５３】
図５（ｃ）は図５（ｂ）のウィンドウＷ２の表示中に開始釦ＳＷ１が操作されて新たに生成されたタブＴ３をその領域に表示している新たなウィンドウＷ３の表示例を示す。尚この図示例ではウィンドウＷ３のタブＴ３を左側にそして後側のウィンドウＷ２，Ｗ１のタブＴ２，Ｔ１を右側に並べているが、追加されるウインドウの順番にタブを並べ、最も前側のウィンドウに対応するタブの色を例えば上述のように例えば灰色（これには限定されない）とし、他のタブの色を異なるとして表示するようにしても良い。
【００５４】
また、待機中において、操作部１はＳ４でお好み釦ＳＷ２が操作された判定されると、その押し操作時間をカウントし、３秒以上か否かをＳ４１で判定し、例えば３秒以上押し（第２の操作状態）付けられると、現在保持している画面情報を記憶部５から取り出し、表２のような形で「お好み登録情報」として記憶部５に上述のテーブルとは別途にセットする処理を行う（Ｓ４２）。つまりお好み釦ＳＷ２は、セット画面記憶釦を構成する。
【００５５】
【表２】
2008140188.tif 000004
【００５６】
またお好み釦ＳＷ２を３秒未満（第１の操作状態）の押操作の場合には、Ｗｅｂブラウザ部１０は記憶部５に登録されている「お好み登録情報」を取り出して、「お好み登録情報」に従ったウィンドウをウィンドウ生成機能１０ａでタブをタブ表示制御機能１０ｂで生成し、記憶部５にある現在保持している画面情報を更新し（Ｓ４３）、且つタブを含むウィンドウのデータを表示パネル３に送って表示させる（Ｓ５）。
【００５７】
尚上述の第１，第２の操作状態の区別は押し操作時間ではなく、例えばシングルクリックと、ダブルクリックというようなクリック操作の状態で区別をするようにしても良い。
【００５８】
ところで、本実施形態の監視制御端末ＣＶを用いるシステムでは、例えば火災感知器や防犯センサからなるセキュリティ機器Ｙ１…の異常検出情報に対応した警報情報をイベント通知としてコントローラＣ３から統合管理装置ＴＭを通じて監視制御端末ＣＶに通知するようになっている。このイベント通知を受信したときには監視制御端末ＣＶでは画面を割り込み表示する必要がある。このイベントの内容を表す画面はコントローラＣ３のＷｅｂサーバ内のＷｅｂコンテンツだったり、監視制御端末ＣＶ自身が記憶部５内に保持する画面情報ものであったりするが、画面情報がある場所は宅内ネットワーク上のどこでも構わないものとする。
【００５９】
而してＳ２で監視制御端末ＣＶがイベント通知を受信した場合、つまり割り込み発生が有ると、まず現在記憶部５で保持している画面情報の数が予め設定している上限値であるか否かをチェックし（Ｓ２１）、上限値未満であれば、Ｗｅｂブラウザ部１０は受け取ったイベント通知のデータを解析し、イベント用に表示すべきＷｅｂコンテンツのアドレス（ＵＲＬ）を確認する（Ｓ２３）。そしてアドレスが判明すると、そのアドレスをアクセスしてＷｅｂコンテンツのデータを取得し（Ｓ２４）、ウィンドウ生成機能１０ａにより対応するウィンドウを生成し、且つタブ表示制御機能１０ｂにより新たなタブを生成し、表示パネル３に送って表示させるとともに、ウィンドウ表示制御機能１０ｃの働きにより、記憶部５のテーブルに登録している現在保持している画面情報を更新する。
【００６０】
一方Ｓ２１でチェック結果が上限値以上の場合には次の上限値処理を行う（Ｓ２２）。つまり本実施形態では保持できる画面情報数に上限値を設けており、イベント通知を受ける前において画面情報数が既に上限値の場合には、ウィンドウ表示制御機能１０ｃは、イベント通知に対応した画面情報を記憶部５のテーブルに保持させるために、表１で保持されている画面情報の内、最後に操作表示された時刻が一番古い画面情報をウィンドウ表示制御機能１０ｃの働きにより削除し、この削除後にＳ２３のイベント通知のデータからＷｅｂコンテンツのアドレスの確認処理を行う。
【００６１】
以上のようにして本実施形態の監視制御端末ＣＶでは、複数のウィンドウの情報を同時に保持することができ、表示パネル３の画面サイズが小さくても表示する情報量を多くすることができ、またタブＴ１…のタッチ操作でウィンドウを切り替えて表示することができ、その結果、画面遷移の手間を省けるとともに複数の画面状態を確認することができ、また開始釦ＳＷ１の操作で保持できるウィンドウの数を簡単な操作で増やすことができ、更にまたお好み釦ＳＷ２を操作することで、複数保持しているウィンドウを記憶し、簡単な操作で再現表示することができる。つまり各タブに対応付けられ記憶部５に記憶しているウィンドウとをセット画面として記憶部５に記憶させるセット画面記憶釦として機能する。
【００６２】
またイベント通知による割り込みで新しいウィンドウを表示したときに、割り込み直前まで表示していたウィンドウを保持しておくことができる上に、記憶部５に、現在保持しているウィンドウの情報数が上限値に達している場合には、記憶されているウィンドウの情報の内最も古く操作されたウィンドウの情報を削除することで、多く表示した使用頻度の高い画面を残すことができる。
（実施形態２）
上記実施形態１ではイベント通知の受信時における上限値処理において、記憶部５から削除する画面情報は最後に操作表示された時刻の最も古いものであったが、本実施形態では、Ｗｅｂブラウザ部１０のウィンドウ表示制御機能１０ｃに予めシステムで提供されるＷｅｂコンテンツのアドレスに対応付けた優先度のデータベースを記憶部５に持たせ、テーブルに現在保持されている画面情報として保持させる際に、現在保持中の画面情報のアドレスを基に優先度の情報を表３に示すように書き込み、情報削除判断時に優先度が最も低い画面情報を処理するようにした点で実施形態１と相違する。
【００６３】
尚上述の優先度の付ける処理と情報削除の処理以外の動作と、ハードウェア構成及び使用システムは実施形態１と同様であるので、図示及び説明は省略する。
【００６４】
【表３】
2008140188.tif 000005
【００６５】
（実施形態３）
上記実施形態１，２とも記憶部５のテーブルに保持できる画面情報数の上限値までイベント通知とは無関係にＷｅｂコンテンツに対応する画像情報を保持するようになっているため、上限値の判定処理を行っているが、本実施形態では、予めイベント通知に対応する画面情報を保持するための枠（記憶領域）を上限値内において少なくともその一つ予約しており、そのため、割り込み処理のルーチンには図６に示すようにＳ２３〜Ｓ２４のステップだけで良く、図３におけるＳ２１、Ｓ２２のステップを省略することができ、また操作用のウィンドウの画面情報が消去されるのを防ぐことができる。尚本実施形態では実施形態１のＳ２５のステップに代わり、取得したＷｅｂコンテンツに対応する画面情報を記憶部５のテーブルでイベント通知に対して予約枠にイベント通知に対応して現在表示しているＷｅｂコンテンツの画面情報を更新保持させるステップ（Ｓ２５’）を設けてある。
【図面の簡単な説明】
【００６６】
【図１】（ａ）は実施形態１の構成図、（ｂ）は正面図である。
【図２】実施形態１を使用する住宅設備監視システムの一例の概略構成図である。
【図３】実施形態１の動作説明用フローチャートである。
【図４】実施形態１での表示パネルでの表示画面例図である。
【図５】実施形態１の表示画面の遷移の説明図である。
【図６】実施形態３の割り込み処理ルーチンのフローチャートである。
【符号の説明】
【００６７】
１  制御部
１０  Ｗｅｂブラウザ部
１０ａ  ウィンドウ生成機能
１０ｂ  タブ表示制御機能
１０ｃ  ウィンドウ表示制御機能
２  ＬＡＮインターフェース部
３  表示パネル
４  操作部
５  記憶部
６  スピーカ部
６ａ  音出し孔
７  ハウジング
ＣＶ  監視制御端末
ＳＷ１〜ＳＷ４  押釦スイッチ
【図１】
2008140188.tif 000006
【図２】
2008140188.tif 000007
【図３】
2008140188.tif 000008
【図４】
2008140188.tif 000009
【図５】
2008140188.tif 000010
【図６】
2008140188.tif 000011